(57)【要約】【課題】螺旋構造体なる払出体が払出体の回転方向の両側から球を１個ずつ分離しながら円滑に払い出せるようにする。【解決手段】収容部６の引込側部分６Ｂに設けられた障害突起１６と庇８との間の隙間Ｌ２は、払出体９に１個の球Ｐを１ずつ分離しつつ取り込むことが可能な寸法であるものの、払出体９に複数の球Ｐを払出体９による球の矢印Ｘ２で示す搬送方向に１ずつ分離しつつ取り込むことが不可能な寸法に構成されたことによって、障害突起１６と庇８との間の隙間Ｌ２には、１個の球だけが入ることが可能であるものの複数の球が同時に入ることが不可能であるので、引込側部分６Ｂでは回転する払出体９が１個の球を収容部６の底面に押し付けながら搬送方向に引き摺りながら移動することとなり、払出モータ１０の負担が最も軽減できるうえ、引込側部分６Ｂでは回転する払出体９が球をタンク２から収容部６に引き込むことで取り込まれやすい。【選択図】図１
2008259734.tif 000002
【特許請求の範囲】
【請求項１】
タンクの底部には払出機構が設けられ、払出機構の払出モータが駆動し、払出機構の払出体が一方向に回転されると、球が払出体の収容された収容部の押出側部分と引込側部分とから外部に払い出される遊技機の球払出装置において、収容部の引込側部分には球の進入を阻害する障害突起が設けられ、障害突起と収容部との間の隙間は１個の球だけが入ることが可能でありかつ複数の球が同時に入ることが不可能である寸法に構成されたことを特徴とする遊技機の球払出装置。
【請求項２】
障害突起の上面は払出体による球の搬送方向の上流側から下流側の方向に下り勾配となる斜面として形成されたことを特徴とする請求項１記載の遊技機の球払出装置。
【発明の詳細な説明】
【技術分野】
【０００１】
本発明は、螺旋構造体なる払出体が払出体の回転方向の両側から球を１個ずつ分離しながら円滑に払い出せる遊技機の球払出装置に関する。
【背景技術】
【０００２】
球を遊技媒体として使用するパチンコ遊技機などの遊技機では、賞球または貸球などとしての球を遊技機の前部の受皿に払い出す球払出装置が知られている。図６は、特許文献１で開示された球払出装置を示す。図６のａ図において、タンク２の底部には、払出機構３が設けられる。そして、払出機構３が停止した状態において、パチンコ球と呼ばれる球がタンク２に貯蔵される。その状態において、払出機構３が駆動すると、払出体９が払出モータ１０によって矢印Ｗで示す方向に回転され、球が矢印Ｘ４で示すように球出口７から下方外部に払い出される。図６のｂ図において、払出体９が矢印Ｗで示す方向に回転するように駆動された場合、収容部６の払出体９を境とする後部分は、払出体９が球を収容部６から上方に押し出す、押出側として構成され（以下、収容部６の押出側部分６Ａと称する）。収容部６の払出体９を境とする前部分は、払出体９が球を球入口５から下方に引き込む、引込側として構成される（以下、収容部６の引込側部分６Ｂと称する）。つまり、押出側部分６Ａでは球が回転する払出体９によって収容部６の底面から離れる方向に持ち上げられながら矢印Ｘ４で示す搬送方向に移動するのに対し、引込側部分６Ｂでは球が回転する払出体９によって収容部６の底面に押し付けられる方向に押し下げられながら矢印Ｘ４で示す方向に移動する。しかしながら、引込側部分６Ｂは、押出側部分６Ａと同じに、払出体９に複数の球を払出体９による球の矢印Ｘ４で示す搬送方向に１ずつ分離しつつ取り込むことが可能な構造、換言するならば、複数の球が同時に入ることが可能な構造になっている。このため、引込側部分６Ｂでは、払出体９が複数の球を収容部６の底面に押し付けながら矢印Ｘ４で示す搬送方向に引き摺りながら移動することとなり、払出モータ１０に負担がかかり過ぎ、球が円滑に払い出せないという欠点がある。
【特許文献１】特開平８−１０４１５号公報
【特許文献２】特開平１０−２０１９１６号公報
【発明の開示】
【発明が解決しようとする課題】
【０００３】
発明が解決しようとする問題点は、払出モータに負担がかかり過ぎ、球が円滑に払い出せないという点である。
【課題を解決するための手段】
【０００４】
本発明に係る遊技機の球払出装置は、タンクの底部には払出機構が設けられ、払出機構の払出モータが駆動し、払出機構の螺旋構造体なる払出体が一方向に回転されると、球が払出体の収容された収容部の押出側部分と引込側部分とから外部に払い出される遊技機の球払出装置において、収容部の引込側部分には球の進入を阻害する障害突起が設けられ、障害突起と収容部との間の隙間は１個の球だけが入ることが可能でありかつ複数の球が同時に入ることが不可能である寸法に構成されたことを最も主要な特徴とする。障害突起の上面は払出体による球の搬送方向の上流側から下流側の方向に下り勾配となる斜面として形成されてもよい。
【発明の効果】
【０００５】
本発明に係る遊技機の球払出装置は、収容部の引込側部分における障害突起と収容部との間の隙間には１個の球だけが入ることが可能であるものの複数の球が同時に入ることが不可能であるので、引込側部分では回転する払出体が１個の球を収容部の底面に押し付けながら搬送方向に引き摺りながら移動することとなり、払出モータの負担が最も軽減できるうえ、引込側部分では回転する払出体が球をタンクから収容部に引き込むことで取り込まれやすいので、螺旋構造体なる払出体が払出体の回転方向の両側から球を１個ずつ分離しながら円滑に払い出すことができるという利点がある。障害突起の上面は払出体による球の搬送方向の上流側から下流側の方向に下り勾配となる斜面として形成されれば、球がタンクから障害突起を経由して収容部に適切に取り込まれるという利点がある。
【発明を実施するための最良の形態】
【０００６】
図１乃至図３は、発明を実施するための最良の形態である。図１のａ図は、払出機構３の平面を示す。図１のｂ図は、図１のａ図をＡ−Ａ線で切断した断面を示す。図１のｃ図は、図１のａ図をＢ−Ｂ線で切断した断面を示す。図２は、球払出装置１の平面を示す。図３は、パチンコ遊技機の遊技機枠２１を示す。本明細書において、「前」、「後」、「左」、「右」、「上」、「下」の方向は、図３の状態に遊技機枠２１を置いて矢印Ｓで示す前側から見た場合に特定される方向である。
【０００７】
図２を参照し、遊技機の球払出装置１について説明する。球払出装置１は、タンク２の底部に払出機構３を備える。タンク２は、上方に開口した箱形の球貯蔵室を内部に構成する。タンク２の球貯蔵室における球と接触する底面４は、球を矢印Ｘ１で示す方向たる左から右に向けて流下させるというように、球を払出機構３の収容部６に向けて流下させる斜面を構成する。そして、タンク２が遊技機枠２１の可動枠２３の後部に取り付けられ、払出機構３が停止した状態において、遊技機枠２１の設置された図外の遊技機設置構造体の補給機構から排出されたパチンコ球と呼ばれる球がタンク２に上方から貯蔵される。その状態において、払出機構３が駆動すると、球がタンク２から下方外部に払い出される。
【０００８】
図１を参照し、払出機構３について説明する。払出機構３は、タンク２の右端部に設けられ、球入口５、収容部６、球出口７、庇８、払出体９、払出モータ１０、筐体１１を備える。球入口５は、タンク２の底面４に上下方向への貫通孔として設けられる。収容部６は、球入口５の周縁部から下方への窪みとして、タンク２の底面４から下方に突出する。球出口７は、収容部６の右部における底部に上下方向への貫通孔として形成される。庇８は、球入口５における球出口７の側の部分を塞ぐように、タンク２の底部に設けられる。
【０００９】
払出体９は、収容部６に収容され、払出軸１２および螺旋体１３を備えた螺旋構造体である。払出軸１２は、左右方向に直線的に延びる丸棒により構成される。螺旋体１３は、払出軸１２の左右方向に延びる軸心と平行な方向に球を１個ずつ分離する間隔で、払出軸１２の外周面から径方向外側に螺旋形状に突出する。払出モータ１０は、筐体１１に収容される。筐体１１は、タンク２の右壁の外面に固定される。払出モータ１０の出力軸には、払出体９が連結される。
【００１０】
そして、タンク２に貯蔵された球は、球入口５を経由して収容部６の押出側部分６Ａと引込側部分６Ｂとに進入して収容部６と払出体９との隙間に１個ずつ分離されて取り込まれる。その状態において、払出モータ１０が払出体９を払出軸１２の周方向の矢印Ｗで示す一方向に回転するように駆動するのに伴い、螺旋体１３が収容部６の押出側部分６Ａと引込側部分６Ｂとの球を１個ずつ分離したまま矢印Ｘ２で示すように左から右の方に移動する。右の方に移動した球は、払出体９の駆動に伴い、庇８の下に潜り込んで球出口７から下方に払い出される。
【００１１】
払出体９が矢印Ｗで示す方向に回転するように駆動された場合、収容部６の払出体９を境とする前部分は、払出体９が球を収容部６から上方に押し出す、押出側として構成され（以下、収容部６の押出側部分６Ａと称する）。収容部６の払出体９を境とする後部分は、払出体９が球を球入口５から下方に引き込む、引込側として構成される（以下、収容部６の引込側部分６Ｂと称する）。つまり、収容部６の押出側部分６Ａでは、球が矢印Ｗで示す方向に駆動された払出体９によってタンク２から収容部６に取り込まれにくい。収容部６の引込側部分６Ｂでは、球が矢印Ｗで示す方向に駆動された払出体９によってタンク２から収容部６に取り込まれやすい。
【００１２】
収容部６の押出側部分６Ａには、障害突起１５が設けられる。図１のｂ図にも示すように、障害突起１５は、収容部６の左壁から右側に延びて、払出体９による球を１個ずつ分離する機能を阻害する壁を構成する。障害突起１５と庇８との間の隙間Ｌ１は、払出体９に複数の球Ｐを払出体９による球の矢印Ｘ２で示す搬送方向に１ずつ分離しつつ取り込むことが可能な寸法に構成される。換言するならば、障害突起１５と収容部６との間の隙間Ｌ１は、複数の球が同時に入ることが可能である寸法に構成される。
【００１３】
つまり、障害突起１５と庇８との間の隙間Ｌ１には、複数の球が同時に入ることが可能であるので、タンク２から収容部６の球の取り込まれにくい押出側部分６Ａでは、球が適切に取り込まれるという利点がある。押出側部分６Ａに複数の球が同時に取り込まれても、押出側部分６Ａでは複数の球が回転する払出体９によって収容部６の底面から離れる方向に持ち上げられながら矢印Ｘ２で示す搬送方向に移動するので、払出モータ１０の負担は軽減する。障害突起１５の上面は、払出体９による球の矢印Ｘ２で示す搬送方向の上流側から下流側の方向に下り勾配となる斜面として形成されているので、球がタンク２から障害突起１５を経由して収容部６に適切に取り込まれるという利点がある。
【００１４】
収容部６の引込側部分６Ｂには、障害突起１６が設けられる。図１のｃ図にも示すように、障害突起１６は、収容部６の左壁から右側に延びて、払出体９による球を１個ずつ分離する機能を阻害する壁を構成する。障害突起１６と庇８との間の隙間Ｌ２は、払出体９に１個の球Ｐを１ずつ分離しつつ取り込むことが可能な寸法であるものの、払出体９に複数の球Ｐを払出体９による球の矢印Ｘ２で示す搬送方向に１ずつ分離しつつ取り込むことが不可能な寸法に構成される。換言するならば、障害突起１６と収容部６との間の隙間Ｌ２は、１個の球だけが入ることが可能でありかつ複数の球が同時に入ることが不可能である寸法に構成される。
【００１５】
つまり、障害突起１６と庇８との間の隙間Ｌ２には、１個の球だけが入ることが可能であるものの複数の球が同時に入ることが不可能であるので、引込側部分６Ｂでは回転する払出体９が１個の球を収容部６の底面に押し付けながら矢印Ｘ２で示す搬送方向に引き摺りながら移動することとなり、払出モータ１０の負担が最も軽減できるうえ、引込側部分６Ｂでは回転する払出体９が球をタンク２から収容部に引き込むことで取り込まれやすい。よって、螺旋構造体なる払出体９が払出体９の回転方向の両側から球を１個ずつ分離しながら円滑に払い出すことができるという利点がある。
【００１６】
障害突起１６の上面は、払出体９による球の矢印Ｘ２で示す搬送方向の上流側から下流側の方向に下り勾配となる斜面として形成されているので、球がタンク２から障害突起１６を経由して収容部６に適切に取り込まれるという利点がある。障害突起１６と庇８との間の隙間Ｌ２が１個の球だけが入ることが可能な寸法に構成されたので、障害突起１６の斜面なる上面が矢印Ｘ２で示す搬送方向に最長になり、障害突起１６の斜面なる上面は、球の払出体９への進入を広範囲に阻害しつつ隙間Ｌ２に適切に誘導することができるという利点がある。
【００１７】
引込側部分６Ｂの底部には、浮上突起１７が、障害突起１６における矢印Ｘ２で示す搬送方向の端部側から庇８の真下を経由して球出口７までに位置して設けられる。よって、隙間Ｌ２から庇８の下に潜りこんだ球は、引込側部分６Ｂの底面から浮上したまま、回転する払出体９によって浮上突起１７の上面の上を矢印Ｘ２で示す搬送方向に引き摺られるので、払出モータ１０の負担がさらに軽減できるという利点がある。
【００１８】
図３を参照し、球払出装置１を備えた遊技機としてパチンコ遊技機を例示して説明する。図３では、図を簡明にすることから、図１の障害突起１５；１６の図示を省略した。図３において、パチンコ遊技機は、遊技機枠２１の内部に図外の遊技盤を交換可能に取り付ける形態である。遊技機枠２１は、固定枠２２の前部に可動枠２３を開閉可能に備え、可動枠２３の前部に上扉２４および下扉２５を開閉可能に備える。固定枠２２は、遊技機設置設備に固定される外枠とも呼ばれる。遊技機設置設備は、パチンコ遊技機を設置する遊技店の島と呼ばれる設備である。可動枠２３は、遊技盤や図外の制御装置など遊技に必要な部品を取り付ける前枠とも呼ばれ、左側に位置するヒンジ２６を中心とし、固定枠２２の前で前方に開かれかつ後方に閉じられるように、片開き可能であって、盤設置構造体２７および発射機構２８を備える。盤設置構造体２７は遊技盤を装着するための部材である。発射機構２８は、盤設置構造体２７の下部前面に取り付けられる。
【００１９】
発射機構２８は、下扉２５が閉じられて可動枠２３に開閉不能に支持された場合、下扉２５で覆い隠される。可動枠２３には、球払出装置１、図外の施錠装置なども設けられる。上扉２４は、左側に位置するヒンジ２９を中心とし、可動枠２３の前で前方に開かれかつ後方に閉じられるように、片開き可能である。上扉２４には、窓３０および前面パネル３１が設けられる。窓３０は、前後方向への貫通孔として構成される。前面パネル３１は、窓３０を後から塞ぐ大きさのガラスまたは合成樹脂からなる光透過性の有る無色な板状に構成される。下扉２５には、受皿３２、発射操作機構３３、供給口３４、取入口３５が設けられる。
【００２０】
遊技盤が盤設置構造体２７に装着され、可動枠２３が閉じられて固定枠２２に開閉不能に支持され、上扉２４が閉じられて可動枠２３に開閉不能に支持されると、前面パネル３１と遊技盤の前面との間における図外のガイドレールで囲まれた部分が発射機構２８から発射された球の飛び交う遊技領域になる。ガイドレールは、上扉２４または前面パネル３１または遊技盤に設けられる。遊技領域は、遊技機枠２１の前から窓３０および前面パネル３１を通して視認可能になる。
【００２１】
そして、パチンコ球と呼ばれる球が受皿３２に入れられ、発射操作機構３３が人為的に操作されると、発射機構２８が受皿３２から供給口３４を経由して発射機構２８に取り込まれた球を発射操作機構３３の操作量に応じた発射力で１個ずつ遊技領域の上部に向けて発射する。遊技領域の上部に到達した球が、遊技領域を流下する過程において、遊技領域における図外の入賞部品に入賞すると、払出機構３が遊技者への賞球としての球を払い出す。払出機構３から払い出された球は、球通路３６から取入口３５を経由して受皿３２に払い出される。
【産業上の利用可能性】
【００２２】
図１において、払出機構３がタンク２の左端部に設けられ、タンク２の底面４が球を右から左に向けて流下させるというように、球を収容部６に向けて流下させる斜面を構成してもよい。この場合、最良の形態における右を左と読み替えるとともに左を右と読み替えればよい。障害突起１５は除去してもよい。
【００２３】
図３において、遊技機はパチンコ遊技機に限定されるものではなくスロットマシンでもよい。つまり、遊技盤を図柄表示器に置換し、発射操作機構３３を球取込操作機構に置換し、球発射機構を球取込機構に置換し、遊技開始操作機構および図柄停止操作機構を上扉２４の前部または下扉２５の前部に設ければ、球払出装置１はスロットマシンにも適用できる。上扉２４と下扉２５とを前扉として一体に構成してもよい。
【００２４】
図４は、発明を実施するための異なる形態に係る遊技機の球払出装置１を示す。図４の球払出装置１が図２の球払出装置１と異なる構造は次のとおりである。図４において、タンク２の底面４が球を収容部６に向けて流下させる斜面を構成し、払出体９が球を矢印Ｘ３で示すように収容部６の前部における球出口７に向けて移動するように構成される。よって、図４では、払出体９がタンク２の球貯蔵室の球から受ける球圧の方向と球を移動する方向とが互いに交差する方向となり、払出モータ１０の負担が軽減し、球詰まりが発生しなくなり、球が適切に払い出されるという利点がある。図４において、球出口７は、収容部６の後部に設けられてもよい。球出口７が収容部６の後部に設けられた場合、払出体９の回転方向が矢印Ｗに対する逆の向きに設定されるか、または、螺旋体１３の螺旋の方向が逆に設定される。
【００２５】
図２および図４において、図示は省略したが、タンク２に球抜機構や球切検出機構を設けてもよい。球抜機構は、タンク２から下方に球を抜き取る開口を開閉する機構である。球切検出機構は、タンク２における球の貯蔵量が球切れ以下に減少した信号としての例えば球切信号を図外の払出発射制御装置に出力する機構である。
【００２６】
図５は、発明を実施するための上記と異なる形態に係る払出機構３の図１のａ図のＢ−Ｂ線断面に相当する断面を示す。図５の払出機構３が図１の払出機構３と異なる構造は次のとおりである。図５において、球出口７が、庇８の真下に位置して収容部６の底部に上下方向への貫通孔として設けられる。よって、払出体９が球を収容部６の中で引き摺るように移動する距離は、図１よりも少なくなり、払出モータ１０の負荷がさらに軽減されるという利点がある。図５では、図１のｃ図の浮上突起１７が設けられていない。
【図面の簡単な説明】
【００２７】
【図１】ａ図は払出機構の平面図、ｂ図はａ図のＡ−Ａ線断面図、ｃ図はａ図のＢ−Ｂ線断面図（最良の形態）。
【図２】球払出装置の平面図（最良の形態）。
【図３】パチンコ遊技機における遊技機枠の斜視図（最良の形態）。
【図４】球払出装置の平面図（異なる形態）。
【図５】図１のａ図のＢ−Ｂ線断面図に相当する払出機構断面図（異なる形態）。
【図６】ａ図は球払出装置の平面図、ｂ図はａ図のＣ−Ｃ線断面図（従来）。
【符号の説明】
【００２８】
１は球払出装置、２はタンク、３は払出機構、４は底面、５は球入口、６は収容部、６Ａは押出側部分、６Ｂは引込側部分、７は球出口、８は庇、９は払出体、１０は払出モータ、１１は筐体、１２は払出軸、１３は螺旋体、１４は欠番、１５は障害突起、１６は障害突起、１７は浮上突起、１８乃至２０は欠番、２１は遊技機枠、２２は固定枠、２３は可動枠、２４は上扉、２５は下扉、２６はヒンジ、２７は盤設置構造体、２８は発射機構、２９はヒンジ、３０は窓、３１は前面パネル、３２は受皿、３３は発射操作機構、３４は供給口、３５は取入口、３６は球通路。
【図１】
2008259734.tif 000003
【図２】
2008259734.tif 000004
【図３】
2008259734.tif 000005
【図４】
2008259734.tif 000006
【図５】
2008259734.tif 000007
【図６】
2008259734.tif 000008